(57)【要約】【課題】ペットボトル入りの飲み物を購入した時点で、簡単にラベルを取外して吊下げ紐として使用できるようにした新規なペットボトルを提供する。【解決手段】ラベル３を胴部１１周りに装着させたペットボトル１であって、上記ラベル３は上下２部分４，５からなり、この上下２部分４，５は互いに分離可能とされ、上記ラベル３の少なくとも上部分４は、紐状態に引き伸ばし得るように横方向の伸張率の大きい樹脂素材で形成され、かつリング状態で上記胴部１１から抜き取り可能な状態で装着される一方、上記ラベル３の下部分５の表面には、商品情報５ａが印刷されている。【選択図】図１
2007197065.tif 000002
【特許請求の範囲】
【請求項１】
ラベルを胴部周りに装着させたペットボトルであって、
上記ラベルは上下２部分からなり、この上下２部分は互いに分離可能とされ、
上記ラベルの少なくとも上部分は、紐状態に引き伸ばし得るように横方向の伸張率の大きい樹脂素材で形成され、かつリング状態で上記胴部から抜き取り可能な状態で装着される一方、上記ラベルの下部分の表面には、商品情報が印刷されていることを特徴とするペットボトル。
【請求項２】
請求項１において、
上記ラベルの上部分は、胴部から抜き取られ引き伸ばされた状態では、ペットボトルのネック部分に掛け止め可能なリング状吊下げ紐とされ、
上記ネック部分には、上記吊下げ紐を掛け止めする紐止部を備えていることを特徴とするペットボトル。
【請求項３】
請求項１又は２において、
上記ラベルの上部分には、紐状に引き伸ばされたときに、判読可能な状態に拡大される宣伝情報や懸賞情報などの営業販促情報が縮小印刷される一方、上記ラベルの下部分の裏面にも、上記と同様の営業販促情報が印刷されていることを特徴とするペットボトル。
【請求項４】
請求項１ないし３のいずれかにおいて、
上記ラベルの下部分は、縦方向に切開く為の切離し部を備え、この切開きによって該下部分が胴部から取り剥がし可能とされていることを特徴とするペットボトル。
【発明の詳細な説明】
【技術分野】
【０００１】
本発明は、胴部に装着されたラベルを吊下げ紐として使用できるペットボトルに関する。
【背景技術】
【０００２】
近時、ジュース、コーラ、お茶などの飲み物は、アルミ缶やスチール缶などに代って、ペットボトルに収容され販売されるものが増えており、このようなペットボトルには、商品名、商品情報などを印刷したラベルが胴部に装着されている。下記特許文献１には、ラベルをペットボトルに装着する際の挿入不良やシワ発生などの問題を生じないように、伸縮性のあるストレッチラベルを用いることが開示されている。
【０００３】
上記のようなペットボトルは、開閉可能なキャップを備えているから、一度に飲みきれない場合は、キャップを閉栓して持ち歩き、所望の時に再度キャップを開栓して飲むことができ、アルミ缶やスチール缶などのように一度プルタブを引き開封してしまうと再び閉封できないものに比べて極めて便利である。ところで、この持ち歩きの際には、カバンやリュックなどの袋類を携行している場合には、これに収納することができるが、このような袋類を持ち合わせていない場合は、直接手に持つ必要があるため、手がこれで塞がってしまい不便を来たすことがあった。また、上記袋類に収納してしまうとその都度取り出す必要があり、その煩わしさも無視し得なかった。
【特許文献１】特開２００２−１５６９０７号公報
【発明の開示】
【発明が解決しようとする課題】
【０００４】
最近では、上記のような不便さ、煩わしさを解消するため、掛け紐を備えたペットボトル用ホルダが考案され市場にも多く出回るようになった。このペットボトル用ホルダは、ホルダにペットボトルをキャップ部分を露出させた状態で収納し、掛け紐を首や肩に掛けて、或いは腰などに引っ掛けてペットボトルを携行することができるので、手が塞がれることがなく、所望の時には直ぐにキャップを開栓して飲むことができ便利であるので、好評を博するところとなっている。
【０００５】
しかし、外出する際に、ペットボトル入りの飲み物の購入を予め想定して、上記専用のホルダを事前に準備しておくようなことは稀であり、また、準備する煩わしさもあることから、通常このようなホルダを携行せずに外出することが多い。その為、外出先でペットボトルを購入した時に上記不便さを感じることが多々あり、その改善が望まれるところであった。
【０００６】
本発明は、このような問題を解決するために提案され、ペットボトル入りの飲み物を購入した時点で、簡単にラベルを取外して吊下げ紐として使用できるようにした新規なペットボトルを提供することを目的とする。
【課題を解決するための手段】
【０００７】
上記目的を達成するため、本発明の請求項１で提案するペットボトルは、ラベルを胴部周りに装着させたペットボトルであって、上記ラベルは上下２部分からなり、この上下２部分は互いに分離可能とされ、上記ラベルの少なくとも上部分は、紐状態に引き伸ばし得るように横方向の伸張率の大きい樹脂素材で形成され、かつリング状態で上記胴部から抜き取り可能な状態で装着される一方、上記ラベルの下部分の表面には、商品情報が印刷されていることを特徴とする。
【０００８】
請求項２では、請求項１において、上記ラベルの上部分は、胴部から抜き取られ引き伸ばされた状態では、ペットボトルのネック部分に掛け止め可能なリング状吊下げ紐とされ、上記ネック部分には、上記吊下げ紐を掛け止めする紐止部を備えている。紐止部はラベルの下半分における商品情報の印刷面と反対側部分に吊り下げ位置を規制するように形成することが望ましい。
ここに、吊下げ紐の掛け止め対象となるネック部分は、ボトルの胴部とキャップ装着部との境目部（鍔部）やキャップの基部（キャップを外したときにボトル側に残る部分）、更にはキャップの一部分であってもよい。紐止部は、上記境目部、キャップの基部或いはキャップの一部分に切り込みやフックを形成したものであってもよい。
【０００９】
請求項３では、請求項１または２において、上記ラベルの上部分には、紐状に引き伸ばされたときに、判読可能な状態に拡大される宣伝情報や懸賞情報などの営業販促情報が縮小印刷される一方、上記ラベルの下部分の裏面にも、上記と同様の営業販促情報が印刷されていることを特徴とする。また、請求項４では、請求項１ないし３のいずれかにおいて、上記ラベルの下部分は、縦方向に切開く為の切離し部を備え、この切開きによって該下部分が胴部から取り剥がし可能とされていることを特徴とする
【発明の効果】
【００１０】
本発明によれば、以下の効果を奏する。
請求項１の発明のペットボトルは、分離可能な上下２部分からなるラベルが胴部周りに装着され、このラベルの少なくとも上部分は、紐状態に引き伸ばし得るように横方向の伸張率の大きい樹脂素材で形成され、かつリング状態で上記胴部から抜き取り可能とされているから、抜き取ったラベルの上部分を引き伸ばして紐状とし、その一端をボトルのネック部などに結んだり、掛け止めたりすればボトルの吊下げ紐として使用できる。従って、吊下げ紐を首や肩或いは腰などに掛けるようにすれば、携行時に手が塞がったりする不便さは生じない。また、ラベルの上部分を取外しても、下部分は残るから、その表面に印刷された商品情報による商品の識別機能等が損なわれることがない。
【００１１】
請求項２の発明によれば、ネック部分には、上記吊下げ紐を掛け止めする紐止部を備えている。望ましい実施例では、この紐止部は上記ラベルの下部分における商品情報の印刷面と反対側部分に上記吊り下げ位置を規制するよう形成されているから、吊下げ紐を首や肩或いは腰などに掛けてペットボトルを携行する際、常に下部分における商品情報の印刷面が携行者の外側に位置することになり、第三者をして露見され、その営業的効果が維持される。
【００１２】
請求項３の発明によれば、ラベルの上部分に印刷された営業販促情報は、ラベルの上部分が引き伸ばされる前は判読できないが、引き伸ばされた時には拡大されて判読可能となるので、広告情報や懸賞情報など需要者の興味をそそるような趣向を凝らすことによって営業販促効果を高めることができる。また、請求項４の発明によれば、ラベルの下部分も、切離し部の切開きによって胴部から取り剥がし可能とされているから、空ボトルの分別回収に役立ち、加えてその裏面にもスクラッチなどによってポイントや懸賞情報などの営業販促情報を印刷しておけば、上記と同様の効果が得られる。
【発明を実施するための最良の形態】
【００１３】
以下に本発明の最良の実施の形態について説明する。
【実施例１】
【００１４】
図１は本発明のペットボトルの外観構成の一例を示す図である。ペットボトル１は、図１（ａ）に示すように、ボトル本体１０の胴部１１周りに、ラベル３が装着されており、このラベル３は上下２部分４，５からなり、引き剥がしタブ６ａを備えたティアテープ６によってこの上下２部分４，５が互いに分離可能に接合されている。ラベル３の上下２部分４，５（以下、夫々ラベル上部分４、ラベル下部分５と言う）はいずれもリング状であって、ティアテープ６によって互いに分離された状態では、ラベル上部分４は、図１（ｂ）に示すようにペットボトル１からリング状態のまま取り外せるようになされている。
なお、この実施例では、ティアテープを設けてラベル３を上下に分離可能にしているがこのような態様は必須ではない。
【００１５】
このラベル上部分４は、横方向の伸張率の大きい柔軟な樹脂素材で形成され、長方形の樹脂素材シートの長手方向両端部を接着してリング状としたものであり、４ａはこの接着による重合接合部を示す。そして、ラベル上部分４は、ペットボトル１から取外し、径方向に拡開するよう引き伸ばすと、図１（ｃ）のようなループ状の吊下げ紐４０となる。ここに、紐状に引き伸ばしても切断しない丈夫なものが望まれるが、後記するような首掛け時の安全を考慮して、ある程度の外力が加わったときに、重合接合部４ａで分断されるようになされている。
【００１６】
上記ラベル上部分４は、その表面に営業販促情報４ｂが縮小印刷されており、この営業販促情報４ｂは、文字や絵などからなり、ペットボトル１の胴部１１に装着された状態では判読不能であるが、上記のように引き伸ばすと図１（ｃ）に示すように拡大されて判読可能となる。図１（ｃ）では「Ａ賞当たり」なる文字が印刷されているが、製造業者、サービス業者、販売業者の広告宣伝情報や、商標、商号などを印刷したものであってもよい。このように、ラベル上部分４に営業販促情報４ｂを縮小した状態で印刷し、紐状に引き伸ばしたときに拡大されて判読できるようにすれば、新規な広告宣伝方法を実現でき、また需要者の興味をそそるような趣向を凝らすことによって商品の需要拡大に繋がる効果も期待できる。
【００１７】
一方、ラベル下部分５は、長方形の樹脂シートをリング状に形成してなり、上記のようにティアテープ６によってラベル上部分４と分離可能な状態でペットボトル１の胴部１１周りに装着されている。その表面には商品情報（商品名、製造者名、成分、賞味期限等、必要な商品情報）５ａが印刷されている。そして、このラベル下部分５は、ラベル上部分４が分離され、ペットボトル１の胴部１１から取外されても、胴部１１に残るようになされており、従って、ラベル上部分４が取外された後もその商品識別機能等が維持される。また、ラベル下部分５は、縦方向に切開く為の切離し部５ｂを備え、この切開きによって胴部１１から取り剥がし可能とされている。図１（ａ）における５０は、この切開きによって胴部１１から取り剥がし展開した状態を示している。更に、ラベル下部分５の裏面には、図１（ａ）に示すように、スクラッチなどによって、ポイントや懸賞情報などの営業販促情報５ｃが印刷されており、ラベル上部分４に印刷された営業販促情報４ｂと組み合わせることによって、より営業販促効果を高めるようになすことができる。この場合も、ラベル上部分４と同様に、横方向に引き伸ばしたときに印刷が大きくなるようにしてもよい。ラベル上部分４、ラベル下部分５共にペットボトル１の胴部１１から取外すことができるから、空のペットボトル１の処理の際の分別回収に役立てることができる。
【００１８】
ペットボトル本体１０の上部は胴部１１に連なるネック部１２とされ、ネック部１２の上端には雄ネジ部１３ａ（図２参照）を備えたボトル口部１３が形成されている。また、この雄ネジ部１３ａとネック部１２の境界部分には鍔部１４が一体形成されている。雄ネジ部１３ａには、キャップ２が螺合装着されている。このキャップ２は、基部２ａと、雌ネジが付されたキャップ本体２ｂとよりなり、出荷・搬送等の流通過程で不意に外れることがないよう、ペットボトル本体１０に固定された基部２ａに対してキャップ本体２ｂが連結された状態で雄ネジ部１３ａに螺合されている。キャップ本体２ｂが需要者によって捻回螺緩操作された時には、基部２ａから分断され、基部２ａがペットボトル本体１０に残り、キャップ本体２ｂのみが取外せるようになされている。取外されたキャップ本体２ｂは、再度雄ネジ部１３ａに螺合装着されてボトル口部１３が閉栓され得ることは当然である。
【００１９】
上記のようにラベル上部分４を引き伸ばして得られた吊下げ紐４０は、ペットボトル本体１０の一部に結び止めしたり、ネック部１２に掛け止めしたりすることによって、ペットボトル１を吊下げ携行するよう用いることができる。この場合、ペットボトル本体１０やキャップ２の基部２ａなどにフック孔部（不図示）を形成し、これに結び止めや掛け止めを行うようにしてもよい。
【００２０】
図２（ａ）（ｂ）（ｃ）は、上記のようにラベル上部分４を引き伸ばして得られた吊下げ紐４０を、ペットボトル１のネック部１２に掛け止めする要領を示している。図おいて、ループ状吊下げ紐４０の一方のループ端４１を、ペットボトル１のネック部１２に形成された鍔部１４の下方に巻き付け、このループ端４１に他方のループ端４２を挿通させることにより、吊下げ紐４０が鍔部１４の下方に掛け止めされている。このようにして掛け止めした吊下げ紐４０の他方のループ端４２を、図５、図６に示すように肩や首に掛ければ、ペットボトル１の自重によって掛け止め部分は、ネック部１２に強く締まり、鍔部１４によってこの締まり部分が拘束されるから、ペットボトル１が抜け落ちることがない。
【００２１】
図３（ａ）（ｂ）は、吊下げ紐４０を、ペットボトル１のネック部１２に掛け止めする別の態様を示している。この例では、ペットボトル１のネック部１２に、紐孔１５ａを備えた鍔部１５が一体形成されている。この紐孔１５ａは鍔部１５に切欠形成された導入口１５ｂと連なっており、図２に示す例と同じ要領で鍔部１５の下方に掛け止めされた吊下げ紐４０をこの導入口１５ｂから紐孔１５ａに嵌め込むことによって、吊下げ紐４０のペットボトル１に対する回動を防止し、それによって、ネック部１２に対する掛け止め部が不用意に解けることが阻止され、ペットボトル１の抜け落ちが防止される。この場合も、図５或いは図６に示すように、吊下げ紐４０を肩や首に掛けてペットボトル１を携行することができる。
【００２２】
図３の例の場合、上記紐孔１５ａは、吊下げ紐４０による吊り下げ位置を規制する紐止部の機能も奏する。即ち、この紐孔１５ａはラベル下部分５における商品情報５ｃの印刷面と反対側部分に形成されており、図５や図６のように肩や首に吊下げ紐４０に掛けて携行する際、この商品情報５ｃの印刷面が常に携行者の外側に位置する。従って、商品情報５ｃが常に第三者に露見され、その営業的効果が維持される。
【００２３】
図４（ａ）（ｂ）（ｃ）は、吊下げ紐４０を、ペットボトル１のネック部１２に掛け止めする更に別の態様を示している。この例では、鍔部１６に結び止め孔１６ａが形成されており、吊下げ紐４０の一方のループ端４１をこの結び止め孔１６ａに挿通し、他方のループ端４２を更にループ端４１に挿通させて吊下げ紐４０を鍔部１６に掛け止めし得るようになされている。従って、この例の場合も、図５や図６に示すように吊下げ紐４０を肩や首に掛けることにより、ペットボトル１を携行することができる。
【００２４】
この図４の例の場合も、上記結び止め孔１６ａは、吊下げ紐４０による吊り下げ位置を規制する紐止部の機能をも奏する。即ち、この結び止め孔１６ａはラベル下部分５における商品情報５ｃの印刷面と反対側部分に形成されており（図３参照）、図５や図６のように肩や首に吊下げ紐４０を掛けて携行する際、この商品情報５ｃの印刷面が常に携行者の外側に位置し、商品情報５ｃが常に第三者に露見されるようになされ、上記同様の効果を奏する。
【００２５】
図５及び図６は、このようにして吊下げ紐４０を用いてペットボトル１を携行し持ち運びする例を示している。図５は吊下げ紐４０を肩掛け態様で使用する例を、図６は吊下げ紐４０を首掛け態様で使用する例を示しており、いずれの態様でも、手が塞がることなくペットボトル１を携行することができ、不便を来たすことがなく、極めて便利である。
【００２６】
尚、吊下げ紐４０は、図５や図６の例のように肩や首に掛けて使用する場合に限らず、腰やベルト或いはリュック等に掛止して使用することができることは言うまでもない。また、ネック部１２の吊下げ紐４０が掛け止めされる部位は、ペットボトル１の一部位やキャップ２の基部２ａなどに形成されたフック部や孔部であっても良い。更に、ペットボトル１の形状は図例のものに限定されず、他の形状のものであっても良いことは当然である。
【図面の簡単な説明】
【００２７】
【図１】（ａ）は本発明のペットボトルの外観構成の一例を示す斜視図、（ｂ）はラベル上部分をペットボトルから取外した状態の斜視図、（ｃ）はラベル上部分をループ状に引き伸ばして吊下げ紐とした状態の斜視図である。
【図２】（ａ）（ｂ）（ｃ）は同吊下げ紐をペットボトルに掛け止めする作業要領を示す要部の斜視図である。
【図３】（ａ）（ｂ）は同吊下げ紐をペットボトルに掛け止めする態様の別の例を示す図であり、（ａ）は要部の斜視図、（ｂ）は平面図である。
【図４】（ａ）（ｂ）（ｃ）は同吊下げ紐をペットボトルに掛け止めする態様の更に別の例を示す要部の斜視図である。
【図５】同吊下げ紐を肩掛けで使用する例を示す図である。
【図６】同吊下げ紐を首掛けで使用する例を示す図である。
【符号の説明】
【００２８】
１      ペットボトル
１１    胴部
１２    ネック部
３      ラベル
４      ラベル上部分
４ｂ    営業販促情報
４０    吊下げ紐
５      ラベル下部分
５ａ    商品情報
５ｂ    切り離し部
５ｃ    営業販促情報
１５ａ  紐孔（紐止部）
１６ａ  結び止め孔（紐止部）
【図１】
2007197065.tif 000003
【図２】
2007197065.tif 000004
【図３】
2007197065.tif 000005
【図４】
2007197065.tif 000006
【図５】
2007197065.tif 000007
【図６】
2007197065.tif 000008